(57)【特許請求の範囲】
【請求項１】
（Ａ）成分、及び（Ｂ）成分を含む洗浄剤組成物であって、
前記（Ａ）成分が下記一般式（ａ−１）で表される繰り返し単位、及び下記一般式（ａ−２）で表される繰り返し単位からなる群から選択される少なくとも１種の繰り返し単位と、下記一般式（ａ−３）で表される繰り返し単位とを有するポリマーであり、
前記（Ｂ）成分がアルキレンテレフタレート単位、及びアルキレンイソフタレート単位からなる群から選択される少なくとも一種の繰り返し単位（ｂ１）と、オキシアルキレン単位、及びポリオキシアルキレン単位からなる群から選択される少なくとも一種の繰り返し単位（ｂ２）と、を有する水溶性ポリマーである、洗浄剤組成物。
【化１】
0006526334.tif 000017
［式中、Ｒ１、Ｒ２は、それぞれ独立して炭素数１〜３のアルキル基または炭素数１〜３のヒドロキシアルキル基であり、Ｘ−は対イオンである。］
【化２】
0006526334.tif 000018
［式中、Ｒ３、及びＲ４は、それぞれ独立して炭素数１〜３のアルキル基または炭素数１〜３のヒドロキシアルキル基であり、Ｘ−は対イオンである。］
【化３】
0006526334.tif 000019
［式中、Ｒ５は、水素原子または炭素数１〜３のアルキル基であり、Ｒ６、Ｒ７は、それぞれ独立して、水素原子または炭素数１〜３のアルキル基もしくは炭素数１〜３のヒドロキシアルキル基である。］
【請求項２】
さらに、スルホン酸型アニオン界面活性剤、及び硫酸エステル型アニオン界面活性剤からなる群から選択される少なくとも１種のアニオン界面活性剤を含む、請求項１に記載の洗浄剤組成物。
【請求項３】
さらに、ノニオン界面活性剤を含む、請求項１又は２に記載の洗浄剤組成物。
【請求項４】
さらに、下記一般式（ｅ−１）で表されるモノマーから誘導された繰り返し単位、及び下記一般式（ｅ−２）で表されるモノマーから誘導された繰り返し単位からなる群から選択される少なくとも１種の繰り返し単位を有するポリマーを含む、請求項１〜３のいずれか一項に記載の洗浄剤組成物。
【化４】
0006526334.tif 000020
［式（ｅ−１）中、Ｒ１１は水素原子又はメチル基であり、Ｒ１２は水素原子である。式（ｅ−２）中、Ｒ１３は水素原子又はメチル基であり、Ｒ１４は炭素数１〜４０のアルキル基である。］
【発明の詳細な説明】
【技術分野】
【０００１】
本発明は、洗浄剤組成物に関する。
本願は、２０１６年６月１５日に、日本に出願された特願２０１６−１１９３１５号に基づき優先権を主張し、その内容をここに援用する。
【背景技術】
【０００２】
衣類等の被洗物には、洗濯後にふんわりしたボリューム感が求められる。
特許文献１では、ジメチルジアリルアンモニウムハライドとアクリルアミドとのコポリマーを含む洗浄剤組成物を提案している。引用文献１の洗浄剤組成物によれば、衣類等の被洗浄物に柔軟性を付与することができる。
しかしながら、引用文献１の洗浄剤組成物では、特にフリース等のポリエステルからなる起毛仕上げの生地を被洗物とした場合に、ふんわりしたボリュームのある触感が充分に付与できない。
【先行技術文献】
【特許文献】
【０００３】
【特許文献１】特開平２−１０３２９１号公報
【発明の概要】
【発明が解決しようとする課題】
【０００４】
本発明は上記事情に鑑みてなされたものであり、ふんわりとしたボリュームのある触感を付与できる洗浄剤組成物を目的とする。
【課題を解決するための手段】
【０００５】
本発明者らは、鋭意検討した結果、以下の洗浄剤組成物が、上記課題を解決できることを見出した。
すなわち本発明は、以下の態様を有する。
［１］（Ａ）成分、及び（Ｂ）成分を含む洗浄剤組成物であって、
前記（Ａ）成分が下記一般式（ａ−１）で表される繰り返し単位、及び下記一般式（ａ−２）で表される繰り返し単位からなる群から選択される少なくとも１種の繰り返し単位を有するポリマーであり、
前記（Ｂ）成分がアルキレンテレフタレート単位、及びアルキレンイソフタレート単位からなる群から選択される少なくとも一種の繰り返し単位（ｂ１）と、オキシアルキレン単位、及びポリオキシアルキレン単位からなる群から選択される少なくとも一種の繰り返し単位（ｂ２）と、を有する水溶性ポリマーである、洗浄剤組成物。
【化１】
0006526334.tif 000002
［式中、Ｒ１、及びＲ２は、それぞれ独立して炭素数１〜３のアルキル基または炭素数１〜３のヒドロキシアルキル基であり、Ｘ−は対イオンである。］
【化２】
0006526334.tif 000003
［式中、Ｒ３、及びＲ４は、それぞれ独立して炭素数１〜３のアルキル基または炭素数１〜３のヒドロキシアルキル基であり、Ｘ−は対イオンである。］
［２］前記（Ａ）成分がさらに、下記一般式（ａ−３）で表される繰り返し単位を有する、［１］に記載の洗浄剤組成物。
【化３】
0006526334.tif 000004
［式中、Ｒ５は、水素原子または炭素数１〜３のアルキル基であり、Ｒ６、Ｒ７は、それぞれ独立して、水素原子または炭素数１〜３のアルキル基もしくは炭素数１〜３のヒドロキシアルキル基である。］
［３］さらに、スルホン酸型アニオン界面活性剤、及び硫酸エステル型アニオン界面活性剤からなる群から選択される少なくとも１種のアニオン界面活性剤を含む、［１］又は［２］に記載の洗浄剤組成物。
［４］さらに、ノニオン界面活性剤を含む、［１］〜［３］のいずれか一項に記載の洗浄剤組成物。
［５］さらに、下記一般式（ｅ−１）で表されるモノマーから誘導された繰り返し単位、及び下記一般式（ｅ−２）で表されるモノマーから誘導された繰り返し単位からなる群から選択される少なくとも１種の繰り返し単位を有するポリマーを含む、［１］〜［４］のいずれか一項に記載の洗浄剤組成物。
【化４】
0006526334.tif 000005
［式（ｅ−１）中、Ｒ１１は水素原子又はメチル基であり、Ｒ１２は水素原子である。式（ｅ−２）中、Ｒ１３は水素原子又はメチル基であり、Ｒ１４は炭素数１〜４０のアルキル基である。］
【発明の効果】
【０００６】
本発明によれば、ふんわりとしたボリュームのある触感を付与できる洗浄剤組成物を提供することができる。
【発明を実施するための形態】
【０００７】
本発明の洗浄剤組成物は、以下の（Ａ）成分及び（Ｂ）成分を含有する。
【０００８】
＜（Ａ）成分：一般式（ａ−１）で表される繰り返し単位、及び一般式（ａ−２）で表される繰り返し単位からなる群から選択される少なくとも１種の繰り返し単位を有するポリマー＞
（Ａ）成分は、下記一般式（ａ−１）で表される繰り返し単位、及び下記一般式（ａ−２）で表される繰り返し単位からなる群から選択される少なくとも１種の繰り返し単位を有するポリマーである。本発明の洗浄剤組成物は、（Ａ）成分を含有することで、洗濯後の被洗物に対して、ふんわりとしたボリュームのある触感を付与できる。
【０００９】
【化５】
0006526334.tif 000006
【００１０】
［式中、Ｒ１、及びＲ２は、それぞれ独立して炭素数１〜３のアルキル基または炭素数１〜３のヒドロキシアルキル基であり、Ｘ−は対イオンである。］
【００１１】
【化６】
0006526334.tif 000007
【００１２】
［式中、Ｒ３、及びＲ４は、それぞれ独立して炭素数１〜３のアルキル基または炭素数１〜３のヒドロキシアルキル基であり、Ｘ−は対イオンである。］
【００１３】
（Ａ）成分は、さらに下記一般式（ａ−３）で表される繰り返し単位を有することが好ましい。
【００１４】
【化７】
0006526334.tif 000008
【００１５】
［式中、Ｒ５は、水素原子または炭素数１〜３のアルキル基であり、Ｒ６、Ｒ７は、それぞれ独立して、水素原子または炭素数１〜３のアルキル基もしくは炭素数１〜３のヒドロキシアルキル基である。］
【００１６】
なお、上記一般式（ａ−１）で表される繰り返し単位、及び上記一般式（ａ−２）で表される繰り返し単位は、下記一般式（ａ−４）で表されるジアルキルジアリルアンモニウム塩モノマーに由来する繰り返し単位である。
【００１７】
【化８】
0006526334.tif 000009
【００１８】
［式中、Ｒ８、Ｒ９は、それぞれ独立して、炭素数１〜３のアルキル基または炭素数１〜３のヒドロキシアルキル基であり、Ｘ−は対イオンである。］
【００１９】
上記一般式（ａ−１）、（ａ−２）及び（ａ−４）におけるＸ−としては、塩素イオン、臭素イオン等のハロゲンイオン、硫酸イオン、硝酸イオン、亜硫酸イオン等の無機酸イオン、メチル硫酸イオン、酢酸イオン、乳酸イオン等の有機酸イオン等が挙げられる。
【００２０】
（Ａ）成分の重量平均分子量は、通常１，０００〜５，０００，０００であり、３，０００〜２，０００，０００が好ましく、１０，０００〜２，０００，０００がより好ましい。なお、本明細書における重量平均分子量は、ポリエチレングリコールを標準物質として、ゲル浸透クロマトグラフィー（ＧＰＣ）により求めた値を意味する。
【００２１】
（Ａ）成分の重合の形態は、特に限定されず、ブロック重合、ランダム重合又はグラフト重合のいずれであってもよい。
（Ａ）成分中の（ａ−１）で表される繰り返し単位、及び（ａ−２）で表される繰り返し単位と、（ａ−３）で表される繰り返し単位との含有比は特に限定されないが、（ａ−１）で表される繰り返し単位、及び（ａ−２）で表される繰り返し単位と、（ａ−３）で表される繰り返し単位とのモル比が、［（ａ−１）で表される繰り返し単位、及び（ａ−２）で表される繰り返し単位の合計］：（ａ−３）で表される繰り返し単位＝１：９〜７：３が好ましく、２：８〜６：４がより好ましい。
【００２２】
上記一般式（ａ−１）で表される繰り返し単位、及び上記一般式（ａ−２）で表される繰り返し単位からなる群から選択される少なくとも１種の繰り返し単位を有するポリマーとしては、ジアリルジメチルアンモニウムクロライドから誘導されるポリマーが挙げられ、市販品としては、例えばＬｕｂｒｉｚｏｌ社製の商品名「マーコート１００」が挙げられる。
【００２３】
上記一般式（ａ−１）で表される繰り返し単位、及び上記一般式（ａ−２）で表される繰り返し単位からなる群から選択される少なくとも１種の繰り返し単位と、上記一般式（ａ−３）で表される繰り返し単位とを有するポリマーとしては、ジアリルジメチルアンモニウムクロライド・アクリルアミドコポリマー、ジアリルジメチルアンモニウムクロライド・アクリルアミド・アクリル酸ターポリマー等が挙げられる。
これらのポリマーとしては、合成品を用いてもよいし、市販品を用いてもよい。
【００２４】
上記ポリマーは、特に限定されないが、通常のラジカル重合により製造できる。例えば、ジアリルジメチルアンモニウムクロライドや、アクリルアミド等の（Ａ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
【００２５】
上記コポリマーの市販品としては、例えばＬｕｂｒｉｚｏｌ社製の商品名「マーコート５５０」、「マーコート７４０」、「マーコート２２００」、「Ｎｏｖｅｒｉｔｅ３００」、「Ｎｏｖｅｒｉｔｅ３０２」等が挙げられる。
また、上記ターポリマーの市販品としては、例えばＬｕｂｒｉｚｏｌ社製の商品名「マーコート３３３０」、「マーコート３９４０」等が挙げられる。
これらの（Ａ）成分は、１種単独で用いられてもよいし、２種以上が組み合わされて用いられてもよい。
【００２６】
（Ａ）成分の含有量は、洗浄剤組成物の総質量に対して、０．１〜５質量％が好ましく、０．１〜１．２質量％がより好ましく、０．１〜０．６質量％がさらに好ましい。（Ａ）成分の含有量が上記上限値以下であると、ふんわりとしたボリュームのある触感を付与しやすい。（Ａ）成分の含有量が下限値以上であると、ふんわりとしたボリュームのある触感を付与しやすい。
【００２７】
＜（Ｂ）成分：アルキレンテレフタレート単位、及びアルキレンイソフタレート単位からなる群から選択される少なくとも一種の繰り返し単位（ｂ１）と、オキシアルキレン単位、及びポリオキシアルキレン単位からなる群から選択される少なくとも一種の繰り返し単位（ｂ２）と、を有する水溶性ポリマー＞
【００２８】
（Ｂ）成分の水溶性ポリマーを構成する「アルキレンテレフタレート単位、及びアルキレンイソフタレート単位からなる群から選択される少なくとも１種の単位」（以下、（ｂ１）単位ともいう）のうち、アルキレンテレフタレート単位は下記式（ｂ１−１）で示される単位である。
【００２９】
【化９】
0006526334.tif 000010
【００３０】
［式中、Ｒ２１は低級アルキレン基である。］
【００３１】
Ｒ２１の炭素数は１〜４、好ましくは２〜４である。
アルキレンテレフタレート単位の具体的としては、例えばエチレンテレフタレート単位、ｎ−プロピレンテレフタレート単位、イソプロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位等が挙げられる。これらの中ではイソプロピレンテレフタレート単位が好ましい。
【００３２】
（ｂ１）単位として、単一種類のアルキレンテレフタレート単位を単独で用いてもよく、複数種類のアルキレンテレフタレート単位を組み合わせて使用してもよい。
水溶性ポリマーを構成する（ｂ１）単位のうち、アルキレンイソフタレート単位は下記式（ｂ１−２）で示される単位である。
【００３３】
【化１０】
0006526334.tif 000011
【００３４】
［式中、Ｒ２２は低級アルキレン基である。］
【００３５】
Ｒ２２の炭素数は１〜４、好ましくは２〜４である。
アルキレンイソフタレート単位の具体例としては、例えば、エチレンイソフタレート単位、プロピレンイソフタレート単位、ｎ−ブチレンイソフタレート単位、ｓｅｃ−ブチレンイソフタレート単位、ｔｅｒｔ−ブチレンイソフタレート単位等が挙げられる。これらの中ではプロピレンイソフタレート単位が好ましい。
（ｂ１）単位として、単一種類のアルキレンイソフタレート単位を単独で用いてもよく、複数種類のアルキレンイソフタレート単位を組み合わせて使用してもよい。
（ｂ１）単位は、上記アルキレンテレフタレート単位、及びアルキレンイソフタレート単位から選択されるものを、単独で、又は２つ以上を組み合わせて使用することができる。すなわち、（ｂ１）単位はアルキレンテレフタレート単位のみからなるものであってもよく、アルキレンイソフタレート単位のみからなるものであってもよく、アルキレンテレフタレート単位とアルキレンイソフタレート単位との混合物からなるものであってもよい。
【００３６】
（Ｂ）成分の水溶性ポリマーを構成する「オキシアルキレン単位、及びポリオキシアルキレン単位からなる群から選択される少なくとも１種の単位」（以下、（ｂ２）単位ともいう）は下記式（ｂ−２）で示される単位である。
−（Ｒ２３Ｏ）ｓ−  ・・・（ｂ−２）
［式中、Ｒ２３は低級アルキレン基であり、ｓは１〜１００の整数である。］
【００３７】
Ｒ２３の炭素数は１〜４、好ましくは２〜４である。
式（ｂ−２）において、ｓが１の場合はオキシアルキレン単位となり、ｓが２以上の場合はポリオキシアルキレン単位となる。ｓは、１〜１００、好ましくは１〜８０、特に好ましくは１〜５０の整数である。
（ｂ２）単位の具体例としては、オキシエチレン単位、及びポリオキシエチレン単位；オキシプロピレン単位、及びポリオキシプロピレン単位；ポリオキシエチレンポリオキシプロピレン単位等が挙げられ、オキシエチレン単位、及びポリオキシエチレン単位が好ましい。
（ｂ２）単位は、上記オキシアルキレン単位、及びポリオキシアルキレン単位から選択されるものを、単独で、又は２つ以上を組み合わせて使用することができる。すなわち、（ｂ２）単位はオキシアルキレン単位のみからなるものであってもよく、ポリオキシアルキレン単位のみからなるものであってもよく、オキシアルキレン単位とポリオキシアルキレン単位との混合物からなるものであってもよい。
【００３８】
（Ｂ）成分は、上述の（ｂ１）単位と（ｂ２）単位とが、ランダムまたはブロックで重合している高分子化合物であることが好ましく、特にブロックで重合しているものが好ましい。
Ｂ成分は、上述の（ｂ１）単位、及び（ｂ２）単位以外の単位（例えば、重合開始剤や重合停止剤等に由来する単位や、その他共重合可能な単位）を含んでいてもよい。その場合、（Ｂ）成分の８０モル％以上、好ましくは９０モル％以上が（ｂ１）単位、及び（ｂ２）単位により構成されていることが好ましい。
（Ｂ）成分における「水溶性ポリマー」とは、１０ｇの前記ポリマーを、４０℃の条件で、１０００ｇの水に添加し、スターラー（太さ８ｍｍ、長さ５０ｍｍ、１リットルビーカー）で１２時間攪拌（２００ｒｐｍ）したときに完全に溶解するものをいう。
【００３９】
（Ｂ）成分として好適な具体例として、下記式（ｂ−３）又は（ｂ−４）で示される化合物が挙げられる。
【００４０】
【化１１】
0006526334.tif 000012
【００４１】
［式中、Ａ及びＢはそれぞれ独立して、水素原子又はメチル基、好ましくは共にメチル基であり、Ｒ２４、Ｒ２５及びＲ２６はそれぞれ独立して、炭素数２〜４のアルキレン基、好ましくは炭素数２〜３のアルキレン基であり、ｘ１は０〜１０、好ましくは０．５〜５、特に好ましくは０．５〜２．５であり、ｙ１は１〜１００、好ましくは１〜８０、より好ましくは１〜５０、更に好ましくは１０〜５０、特に好ましくは２０〜３０であり、ｚ１は１〜１００、好ましくは１〜８０、より好ましくは１〜５０、更に好ましくは１０〜５０、特に好ましくは２０〜３０である。］
【００４２】
【化１２】
0006526334.tif 000013
［式中、Ａ及びＢはそれぞれ独立して、水素原子又はメチル基、好ましくは共にメチル基であり、Ｒ２７、Ｒ２８及びＲ２９はそれぞれ独立して、炭素数２〜４のアルキレン基、好ましくは炭素数２〜３のアルキレン基であり、ｘ２は０〜１０、好ましくは０．５〜５、特に好ましくは０．５〜２．５であり、ｙ２は、１〜１００、好ましくは１〜８０、より好ましくは１〜５０、更に好ましくは１０〜５０、特に好ましくは２０〜３０であり、ｚ２は、１〜１００、好ましくは１〜８０、より好ましくは１〜５０、更に好ましくは１０〜５０、特に好ましくは２０〜３０である。］
式（ｂ−３）において、ｘ１とｙ１との比率は、ｘ１：ｙ１が１：５〜１：２０であるのが好ましく、１：８〜１：１８であるのがより好ましい。
式（ｂ−４）において、ｘ２とｙ２との比率は、ｘ２：ｙ２が１：５〜１：２０であるのが好ましく、１：８〜１：１８であるのがより好ましい。
【００４３】
（Ｂ）成分は、重量平均分子量が５００〜８０００であることが好ましい。重量平均分子量は、溶媒としてＴＨＦ（テトラヒドロフラン）を用いてＧＰＣ（ゲルパーミネーションクロマトグラフィー）により測定した値を、ＰＥＧ（ポリエチレングリコール）を較正曲線に用いて換算した値をいう。重量平均分子量の下限値は、８００以上であることがより好ましく、特に１０００以上であることが好ましい。重量平均分子量の上限値は、７０００以下であることが好ましく、６０００以下が特に好ましい。したがって、重量平均分子量は８００〜７０００であることが好ましく、１０００〜６０００であることが特に好ましい。
（Ｂ）成分のｐＨ（２０℃の５％水溶液）は３〜７であることが好ましい。
（Ｂ）成分の融点は２５℃〜６０℃であることが好ましい。
（Ｂ）成分の粘度（５０℃）は１００〜１０００ｍＰａ・ｓであることが好ましい。粘度は、ブルックフィールド粘度計にて２番ローターを用い測定した値である。
【００４４】
（Ｂ）成分は公知物質であり、市場において容易に入手することができる。また、文献等に開示の合成方法：例えば、Ｊｏｕｒｎａｌ  ｏｆ  Ｐｏｌｙｍｅｒ  Ｓｃｉｅｎｃｅ
，  第３巻，６０９〜６３０ページ（１９４８年）、Ｊｏｕｒｎａｌ  ｏｆ  Ｐｏｌｙｍｅｒ  Ｓｃｉｅｎｃｅ，第８巻，１〜２２ページ（１９５１年）、特開昭６１−２１８６９９号公報記載の方法等により製造することができる。
（Ｂ）成分の具体例としては、商品名：ＴｅｘＣａｒｅ  ＳＲＮ−１００（クラリアント社製、重量平均分子量：２０００〜３０００）や、商品名：ＴｅｘＣａｒｅ  ＳＲＮ−３００（クラリアント社製、重量平均分子量：７０００）として市販されているものが挙げられる。これらの中では、水への溶解性が高く、保存後の洗浄性能の低下が少ないＴｅｘＣａｒｅ  ＳＲＮ−１００が好ましい。特に好ましくは、ＴｅｘＣａｒｅ  ＳＲＮ−１００の７０％水溶液であり、商品名：ＴｅｘＣａｒｅ  ＳＲＮ−１７０（クラリアント社製）として市販されているものを用いることができる。
これらの（Ｂ）成分は、１種単独で用いられてもよいし、２種以上が組み合わされて用いられてもよい。
【００４５】
（Ｂ）成分の含有量は、洗浄剤組成物の総質量に対して、０．１〜５質量％が好ましく、０．１〜３質量％がより好ましく、０．２〜１質量％がさらに好ましい。（Ｂ）成分の含有量が上記上限値以下であると、ふんわりとしたボリュームのある触感を付与しやすい。（Ｂ）成分の含有量が下限値以上であると、ふんわりとしたボリュームのある触感を付与しやすい。
【００４６】
（Ａ）成分／（Ｂ）成分で表される質量比（以下、Ａ／Ｂ比ともいう）は、０．０２〜５０が好ましく、０．０３〜１２がより好ましく、０．１〜３がさらに好ましい。
Ａ／Ｂ比を上記範囲内とすることで、ふんわりとしたボリュームのある触感を付与できる。
【００４７】
＜任意成分＞
本発明の洗浄剤組成物は、必要に応じて、本発明の効果を損なわない範囲で、上記（Ａ）〜（Ｂ）成分以外の他の成分を含有することができ、例えば、アニオン界面活性剤、ノニオン界面活性剤、カチオン界面活性剤、両性界面活性剤、（Ａ）及び（Ｂ）成分以外のポリマー、水、有機溶媒、減粘剤及び可溶化剤、金属イオン捕捉剤（キレート剤）、酸化防止剤、防腐剤、洗浄性能向上剤、酵素（プロテアーゼ、リパーゼ、セルラーゼ等）、風合い向上剤、アルカリビルダー（アルカノールアミン等）、ハイドロトロープ剤、蛍光剤、移染防止剤、再汚染防止剤、パール剤、ソイルリリース剤、着色剤、乳濁化剤、香料、不溶粒子、天然物等のエキス等が挙げられる。
【００４８】
［アニオン界面活性剤］
本発明におけるアニオン界面活性剤は、公知物質であり、市場において容易に入手することができる。なかでも、スルホン酸型アニオン界面活性剤、及び硫酸エステル型アニオン界面活性剤からなる群から選択される少なくとも１種のアニオン界面活性剤（以下、（Ｃ）成分ともいう）が好ましい。ここでスルホン酸型アニオン界面活性剤とは、分子内に−ＳＯ３−Ｍ＋を有するアニオン界面活性剤である。硫酸エステル型アニオン界面活性剤とは、分子内に−ＯＳＯ３−Ｍ＋を有するアニオン界面活性剤である。ここでＭ＋は対イオンである。対イオンとしては、金属イオン、プロトン化したアミン、アンモニウム等が挙げられる。
（Ｃ）成分の具体例としては、直鎖アルキルベンゼンスルホン酸塩；α−オレフィンスルホン酸塩；直鎖または分岐鎖のアルキル硫酸エステル塩；アルキルエーテル硫酸エステル塩またはアルケニルエーテル硫酸エステル塩；アルキル基を有するアルカンスルホン酸塩；α−スルホ脂肪酸エステル塩などが挙げられる。
また、これらのアニオン性界面活性剤としては以下のものが好ましい。
直鎖アルキルベンゼンスルホン酸塩では、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、炭素数１０〜２０の直鎖または分岐鎖のアルキル基もしくはアルケニル基を有し、平均１〜１０モルのエチレンオキサイドを付加したもの（すなわち、ポリオキシエチレンアルキルエーテル硫酸エステル塩又はポリオキシエチレンアルケニルエーテル硫酸エステル塩）が好ましい。
アルカンスルホン酸塩の炭素数は１０〜２０、好ましくは１４〜１７であり、２級アルカンスルホン酸塩が特に好ましい。
α−スルホ脂肪酸エステル塩としては、下記式（ｃ−１）で表される化合物が好ましい。
Ｒ４３ＣＨ（ＳＯ３Ｍ）ＣＯＯＲ４４  ・・・（ｃ−１）
（式（ｃ−１）中、Ｒ４３は炭素数８〜１８の炭化水素基であり、Ｒ４４は炭素数１〜６の炭化水素基であり、Ｍは対イオンである。）
前記式（ｃ−１）中、Ｒ４３の炭化水素基の炭素数は８〜１８である。つまりα−スルホ脂肪酸エステル塩が有する脂肪酸残基の炭素数は１０〜２０である。
【００４９】
Ｒ４３の炭化水素基は、直鎖状であってもよく、分岐鎖状であってもよく、環状の構造を含んでいてもよい。Ｒ４３の炭化水素基は、脂肪族炭化水素基であることが好ましく、直鎖状若しくは分岐鎖状のアルキル基、又は直鎖状若しくは分岐鎖状のアルケニル基がより好ましく、直鎖状のアルキル基、又は直鎖状のアルケニル基がさらに好ましい。
【００５０】
式（ｃ−１）中、Ｒ４４の炭素数は１〜６であり、１〜３が好ましい。
Ｒ４４の炭化水素基は、直鎖状であってもよく、分岐鎖状であってもよく、環状の構造を含んでいてもよい。Ｒ４４の炭化水素基は、脂肪族炭化水素基であることが好ましく、直鎖状若しくは分岐鎖状のアルキル基、又は直鎖状若しくは分岐鎖状のアルケニル基がより好ましく、直鎖状のアルキル基、又は分岐鎖状のアルキル基がさらに好ましい。
Ｒ４４としては、メチル基、エチル基、ｎ−プロピル基、イソプロピル基等が好ましく、メチル基、エチル基、ｎ−プロピル基が好ましく、メチル基が特に好ましい。
【００５１】
式（ｃ−１）中、Ｍの対イオンとしては、Ｒ４３ＣＨ（ＣＯＯＲ４４）ＳＯ３−とともに水溶性の塩を形成し得るものが好ましく、例えばアルカリ金属イオン、プロトン化したアミン、アンモニウムイオン等が挙げられる。前記対イオンとなり得るアルカリ金属としては、ナトリウム等が挙げられる。前記対イオンとなり得るアミンとしては、第１〜３級アミン等が挙げられる。前記アミンの総炭素数は１〜６であることが好ましい。また、前記アミンは、ヒドロキシ基を有していてもよい。α−スルホ脂肪酸エステル塩の水に対する溶解性が高まることから、前記アミンはヒドロキシ基を有することが好ましい。ヒドロキシ基を有するアミンとしては、アルカノールアミンが挙げられ、前記アルカノール基の炭素数は１〜３が好ましい。アルカノールアミンとしては、モノエタノールアミン、ジエタノールアミン、トリエタノールアミン等が挙げられる。
Ｍとしては、入手しやすい点、液体洗浄剤の低温安定性がより高められやすくなる点等から、アルカリ金属イオンが好ましく、ナトリウムイオンが特に好ましい。
α−スルホ脂肪酸エステル塩としては、前記式（ｃ−１）におけるＲ４３が炭素数１４〜１６の、直鎖状若しくは分岐鎖状のアルキル基、又は直鎖状若しくは分岐鎖状のアルケニル基であり、Ｒ４４がメチル基である化合物が特に好ましい。
【００５２】
上述の具体例の中では、直鎖アルキルベンゼンスルホン酸塩、アルカンスルホン酸塩、ポリオキシエチレンアルキルエーテル硫酸塩、及びα−オレフィンスルホン酸塩が好ましい。
塩としては、ナトリウム塩、カリウム塩等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩などが挙げられる。
上述の（Ｃ）成分は、例えば、直鎖アルキルベンゼンスルホン酸のような酸型で洗浄剤組成物中に配合して苛性ソーダやモノエタノールアミンなどのアルカリ剤で中和し、洗浄剤組成物中で塩型とすることも可能である。
これらの（Ｃ）成分は、１種単独で用いられてもよいし、２種以上が組み合わされて用いられてもよい。
【００５３】
（Ｃ）成分の含有量は、洗浄剤組成物の総質量に対して、２〜２０質量％が好ましく、５〜１８質量％がより好ましく、１０〜１６質量％がさらに好ましい。（Ｃ）成分の含有量が上記上限値以下であると、ふんわりとしたボリュームのある触感を付与しやすい。（Ｃ）成分の含有量が下限値以上であると、ふんわりとしたボリュームのある触感を付与しやすい。
【００５４】
（Ａ）成分／（Ｃ）成分で表される質量比（以下、Ａ／Ｃ比ともいう）は、０．１／２０〜５／２が好ましく、０．１／１８〜１．２／５がより好ましい。
Ａ／Ｃ比を上記範囲内とすることで、ふんわりとしたボリュームのある触感を付与できる。
【００５５】
（Ｃ）成分以外のアニオン界面活性剤としては、高級脂肪酸塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型、アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
【００５６】
（Ｃ）成分と、炭素数８〜２２の脂肪酸（以下、「高級脂肪酸」ともいう）の塩と、を併用することが好ましい。
高級脂肪酸としては、例えばカプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸の塩、ヤシ油脂肪酸、牛脂脂肪酸等の混合脂肪酸などが挙げられる。
これらの高級脂肪酸の塩としては、ナトリウム塩、カリウム塩等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩などが挙げられる。
【００５７】
［ノニオン界面活性剤］
ノニオン界面活性剤（以下、（Ｄ）成分ともいう）としては特に限定されないが、例えばポリオキシアルキレン型ノニオン界面活性剤、アルキルフェノール、炭素数８〜２２の脂肪酸又は炭素数８〜２２のアミン等のアルキレンオキサイド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキサイド付加体、多価アルコール脂肪酸エーテル、アルキル（又はアルケニル）アミンオキサイド、硬化ヒマシ油のアルキレンオキサイド付加体、糖脂肪酸エステル、Ｎ−アルキルポリヒドロキシ脂肪酸アミド、アルキルグリコシドなどが挙げられる。これらはいずれか１種を単独で用いてもよく、２種以上を併用してもよい。
（Ｄ）成分としては、上記の中でも、液体洗剤の粘度を適度に保持しつつ、外観安定性が向上する点で、ポリオキシアルキレン型ノニオン界面活性剤が好ましい（ただし（Ｆ）成分は含まない）。
【００５８】
ポリオキシアルキレン型ノニオン界面活性剤としては、例えば下記一般式（ｄ−１）で表される化合物（以下、「化合物（ｄ１）」という。）、下記一般式（ｄ―２）で表される化合物（以下、「化合物（ｄ２）」という。）などが挙げられる。これらはいずれか１種を単独で用いてもよく、２種以上を併用してもよい。
Ｒ５１−ＣＯ−（ＯＲ５２）ｍ−ＯＲ５３  ・・・（ｄ−１）
Ｒ５４−Ｏ−［（ＥＯ）ｓ／（ＰＯ）ｔ］Ｈ  ・・・（ｄ−２）
【００５９】
式（ｄ−１）中、Ｒ５１は炭素数９〜１３の炭化水素基であり、Ｒ５２は炭素数２〜４のアルキレン基であり、Ｒ５３は炭素数１〜４のアルキル基である。ｍはＯＲ５２の平均繰り返し数を示し、５〜２５の数である。
式（ｄ−２）中、Ｒ５４は炭素数１０〜２２の炭化水素基であり、ＥＯはオキシエチレン基であり、ＰＯはオキシプロピレン基である。ｓはＥＯの平均繰り返し数を示し、５〜２０の数であり、ｔはＰＯの平均繰り返し数を示し、０〜４の数である。
【００６０】
化合物（ｄ１）：
前記式（ｄ−１）中、Ｒ５１における炭化水素基は、直鎖状であっても分岐鎖状であってもよく、又は環状の構造を含んでいてもよい。
また、Ｒ５１における炭化水素基は、脂肪族炭化水素基であることが好ましく、直鎖状若しくは分岐鎖状のアルキル基、又は直鎖状若しくは分岐鎖状のアルケニル基がより好ましい。
Ｒ５１の炭素数は９〜１３であり、炭素数１０〜１３が好ましく、炭素数１１〜１３がより好ましい。Ｒ５１の炭素数が９以上であると、洗浄力がより高まる。一方、Ｒ５１の炭素数が１３以下であると、保存安定性が向上し、特にゲル化が抑制されやすくなる。
化合物（ｄ１）は、単一鎖長の混合物であってもよく、複数の鎖長の混合物であってもよい。Ｒ５１は、原料の脂肪酸（Ｒ５１−ＣＯＯＨ）に由来する。
前記式（ｄ−１）中、Ｒ５３は、炭素数１〜４のアルキル基であり、炭素数１〜３のアルキル基が好ましい。Ｒ５３として具体的には、メチル基、エチル基、ｎ−プロピル基、イソプロピル基、ｎ−ブチル基が挙げられ、メチル基、エチル基が好ましく、メチル基がより好ましい。Ｒ５３の炭素数が１以上であると、低温保存時の析出が抑制されやすくなる。一方、Ｒ５３の炭素数が４以下であると、低温条件下での液体洗剤の水に対する溶解性がより高まる。
前記式（ｄ−１）中、Ｒ５２は、炭素数２〜４のアルキレン基であり、エチレン基又はプロピレン基が好ましい。
式中の複数のＲ５２は、相互に同じであってもよく異なってもよい。すなわち、Ｒ５２のアルキレン基は、１種単独であってもよく、２種以上が組み合わされていてもよい。中でも、洗浄時の泡立ちがよく、安価であることから、式中のｍ個のＯＲ５２が、全てオキシエチレン基であるか、又はオキシエチレン基とオキシプロピレン基とが混在していることが好ましい。
Ｒ５２のアルキレン基が２種以上組み合わされている場合、ＯＲ５２の付加方法は、特に限定されず、例えばオキシエチレン基とオキシプロピレン基とが混在している場合の付加方法としては、ランダム付加であってもよく、ブロック付加であってもよい。ブロック付加の方法としては、エチレンオキシドを付加した後にプロピレンオキシドを付加する方法、プロピレンオキシドを付加した後にエチレンオキシドを付加する方法、エチレンオキシドを付加した後にプロピレンオキシドを付加してさらにエチレンオキシドを付加する方法等が挙げられる。
前記式（ｄ−１）中、ｍは、ＯＲ５２の平均繰返し数を示し、５〜２５の数である。ｍが下限値以上であると、洗浄力、特に皮脂汚れに対する洗浄力がより向上する。一方、ｍが上限値以下であると、液体洗剤の水に対する溶解性がより向上する。
ＯＲ５２が全てオキシエチレン基である場合、ｍは、５〜２０が好ましく、１２〜１８がより好ましい。
ＯＲ５２がオキシエチレン基とオキシプロピレン基とが混在している場合、ｍは１２〜２１が特に好ましい。このうち、オキシプロピレン基の平均繰返し数は、５以下が好ましく、４以下がより好ましく、３以下がさらに好ましい。オキシプロピレン基の平均繰返し数が５を超えると、洗浄力、及び液体洗剤としての保存安定性（ニオイ、経時安定性など）が低下するおそれがある。
化合物（ｄ１）において、ＯＲ５２の繰返し数が異なる化合物の分布の割合を示すナロー率は、２０質量％以上であることが好ましい。ナロー率の上限値は、実質的には８０質量％以下であることが好ましい。
前記ナロー率は、２０〜５０質量％がより好ましく、保存安定性及び水に対する溶解性がより向上することから、３０〜４５質量％がさらに好ましい。
前記ナロー率が高いほど、良好な洗浄力が得られやすい。また、前記ナロー率が、好ましくは２０質量％以上、特に好ましくは３０質量％以上であると、化合物（ｄ１）由来の原料臭気の少ない液体洗剤が得られやすくなる。これは、化合物（ｄ１）の製造後、化合物（ｄ１）と共存する、化合物（ｄ１）の原料である脂肪酸エステルと、前記式（ｄ−１）中のｍが１又は２のアルキレンオキシド付加体と、が少なくなるためである。
化合物（ｄ１）中に不純物として含まれる化合物のうち、化合物（ｄ１）の原料である脂肪酸エステルと、前記式（ｄ−１）中のｍが１又は２のアルキレンオキシド付加体との合計の割合は、化合物（ｄ１）の総質量に対して、０．５質量％以下であることが好ましく、０．２質量％以下であることがより好ましい。この割合が０．５質量％以下であると、界面活性剤の原料臭気のより少ない液体洗剤が得られやすくなる。
本明細書において「ナロー率」とは、アルキレンオキシドの付加モル数が異なるアルキレンオキシド付加体の分布の割合を示す、下記の数式（Ｓ）で表される値をいう。
【００６１】
【数１】
0006526334.tif 000014
【００６２】
前記式（Ｓ）において、ｍｍａｘは、化合物（ｄ１）全体の中に最も多く存在するアルキレンオキシド付加体のＯＲ５２の繰返し数（付加モル数）を示す。
ｉは、ＯＲ５２の繰返し数を示す。
Ｙｉは、化合物（ｄ１）全体の中に存在するアルキレンオキシドの付加モル数がｉであるアルキレンオキシド付加体の割合（質量％）を示す。
前記ナロー率は、例えば、化合物（ｄ１）の製造方法等によって制御できる。
化合物（ｄ１）の製造方法としては、特に限定されず、例えば表面改質された複合金属酸化物触媒を用いて、脂肪酸アルキルエステルにアルキレンオキシドを付加重合させる方法（特開２０００−１４４１７９号公報参照）により容易に製造することができる。
かかる表面改質された複合金属酸化物触媒の好適なものとしては、具体的には、金属水酸化物等により表面改質された金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された酸化マグネシウム等の複合金属酸化物触媒、あるいは、金属水酸化物及び／又は金属アルコキシド等により表面改質されたハイドロタルサイトの焼成物触媒が挙げられる。
また、前記複合金属酸化物触媒の表面改質においては、複合金属酸化物と、金属水酸化物及び／又は金属アルコキシドと、の混合割合を、複合金属酸化物１００質量部に対して、金属水酸化物及び／又は金属アルコキシドの割合を０．５〜１０質量部とすることが好ましく、１〜５質量部とすることがより好ましい。
化合物（ｄ１）の製造方法としては、アルカリ土類金属化合物とオキシ酸等の混合物より調製されるアルコキシル化触媒により、脂肪酸アルキルエステルにアルキレンオキシドを付加する方法もある。上記のアルコキシル化触媒については、特許０４９７７６０９号、国際公開第１９９３／００４０３０号、国際公開第２００２／０３８２６９号、国際公開第２０１２／０２８４３５号等で開示されており、例えば、カルボン酸のアルカリ土類金属塩及び／又はヒドロキシカルボン酸のアルカリ土類金属塩と硫酸等の混合物より調製したアルコキシル化触媒等が挙げられる。
【００６３】
化合物（ｄ２）：
前記式（ｄ−２）中、Ｒ５４における炭化水素基は、直鎖状であっても分岐鎖状であってもよく、又は環状の構造を含んでいてもよい。
また、Ｒ５４における炭化水素基は、脂肪族炭化水素基であることが好ましく、直鎖状若しくは分岐鎖状のアルキル基、又は直鎖状若しくは分岐鎖状のアルケニル基がより好ましい。
Ｒ５４の炭素数は１０〜２０であり、炭素数１２〜１８が好ましく、炭素数１２〜１４がより好ましい。Ｒ５４の炭素数が１０以上であると、洗浄力がより高まる。一方、Ｒ５４の炭素数が２０以下であると、保存安定性が向上し、特にゲル化が抑制されやすくなる。
化合物（ｄ２）は、単一鎖長の混合物であってもよく、複数の鎖長の混合物であってもよい。Ｒ５４は、原料のアルコール（Ｒ５４−ＯＨ）に由来する。前記アルコールとしては、ヤシ油、パーム油もしくは牛脂などの天然油脂由来のアルコール、又は、石油由来の合成アルコールが挙げられる。
前記式（ｄ−２）中、ｓは、ＥＯの平均繰返し数を示し、５〜２０の数であり、１２〜１８の数が好ましく、１２〜１６の数がより好ましい。ｓが前記範囲内にあると、液体洗剤の洗浄力、特に皮脂汚れに対する洗浄力がより向上する。
ｔは、ＰＯの平均繰返し数を示し、０〜４の数であり、０〜３の数が好ましく、０であることが特に好ましい。ｔが前記範囲内にあると、液体洗剤のゲル化が抑制されやすくなり、また、すすぎ時に良好な泡切れ性が得られやすい。
前記式（ｄ−２）において、ＥＯとＰＯとは、ブロック状に付加していてもよく、ランダム状に付加していてもよい。ＥＯとＰＯとがブロック状に付加している場合の付加方法としては、エチレンオキシドを付加した後にプロピレンオキシドを付加する方法、プロピレンオキシドを付加した後にエチレンオキシドを付加する方法、エチレンオキシドを付加した後にプロピレンオキシドを付加してさらにエチレンオキシドを付加する方法等が挙げられる。特に、全自動洗濯機での洗濯におけるすすぎ性がより良好なことから、エチレンオキシドを付加した後にプロピレンオキシドを付加してさらにエチレンオキシドを付加する方法（末端が−Ｏ−ＣＨ２ＣＨ２Ｏ−Ｈとなること）が好ましい。
化合物（ｄ２）において、アルキレンオキシド（エチレンオキシド、プロピレンオキシド）の付加モル数分布は特に限定されず、化合物（ｄ２）の製造方法等によって制御できる。例えば、水酸化ナトリウムや水酸化カリウム等の一般的なアルカリ触媒を用いてアルキレンオキシドを疎水性原料に付加させた際には、比較的広い付加モル数分布となる傾向にある。また、特公平６−１５０３８号公報に記載されたＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いてアルキレンオキシドを疎水性原料に付加させた際には、比較的狭い付加モル数分布となる傾向にある。
【００６４】
化合物（ｄ２）の具体例としては、例えば、以下の化合物が挙げられる。
・ライオン株式会社製の商品名「レオックスＣＬ−７０」（炭素数１２のアルコールと炭素数１４のアルコールとの混合物）又はＳａｓｏｌ社製の商品名Ｓａｆｏｌ２３（炭素数１２のアルコールと炭素数１３のアルコールとの混合物）等のアルコールに対して１２モル又は１５モル相当のＥＯを付加した化合物。
・Ｐ＆Ｇ社製の商品名「ＣＯ−１２１４」や「ＣＯ−１２７０」等の天然アルコールに対して９モル、１２モル又は１５モル相当のＥＯを付加した化合物。
・炭素数１２〜１４の第２級アルコールに対して９モル、１２モル又は１５モル相当のＥＯを付加した化合物（日本触媒社製の商品名「ソフタノール９０」、「ソフタノール１２０」、「ソフタノール１５０」）。
【００６５】
（Ｄ）成分としては、特に皮脂汚れに対する洗浄力、高濃度領域でゲル化しにくいこと等の点から、化合物（ｄ１）及び化合物（ｄ２）成分からなる群より選択される少なくとも１種が好ましい。この中でも、化合物（ｄ１）と化合物（ｄ２）との組合せ、又は化合物（ｄ１）を用いることがより好ましい。
化合物（ｄ１）としては、上述した中でも、Ｒ５２がエチレン基であるポリオキシエチレン脂肪酸アルキルエステルが好ましく、その中でもＲ５３がメチル基であるポリオキシエチレン脂肪酸メチルエステル（以下、「ＭＥＥ」と記載することがある。）が特に好ましい。これらは高濃度においてもゲル化領域が小さいため、高配合時にゲル化が生じにくい。
また、液体洗剤がポリオキシエチレン脂肪酸アルキルエステルを含有することにより、水への溶解性が良好となり、高い洗浄力が得られやすいものとなる。また、高濃度の界面活性剤を含有しても粘度の著しい増大（ゲル化）が生じにくく、良好な流動性を有する濃縮型の液体洗剤とすることができる。係る理由は以下のように考えられる。
ポリオキシエチレン脂肪酸アルキルエステル、特にＭＥＥは、水溶液系中で分子同士の配向性が弱く、ミセルが不安定なノニオン界面活性剤であるため、高濃度でゲル化等が生じにくく、１種単独で多量に液体洗剤中に配合することができると推測される。また水への溶解性が向上すると推測される。さらに、高濃度での良好な流動性に寄与していると考えられる。したがって、ポリオキシエチレン脂肪酸アルキルエステルが洗濯機槽内の水中へ投入された場合、洗濯液中のポリオキシエチレン脂肪酸アルキルエステルの濃度は素早く均一となり、洗浄初期から所定の濃度で被洗物と接することができるため、高い洗浄力が得られると考えられる。
さらに、化合物（ｄ２）としては、上述した中でも、第１級アルコールに酸化エチレンを付加した第１級アルコールエトキシレートが特に好ましい。
【００６６】
（Ｄ）成分の含有量は、洗浄剤組成物の総質量に対して、１０〜５０質量％が好ましく、１０〜４０質量％がより好ましく、１５〜３０質量％がさらに好ましい。（Ｄ）成分の含有量が、１０質量％以上であれば十分な洗浄力が得られ、５０質量％以下であれば増粘が抑制され、液体洗剤の保存安定性をより良好に維持できる。
【００６７】
［カチオン界面活性剤］
カチオン界面活性剤の例としては、アルキルトリメチルアンモニウム塩、ジアルキルジメチルアンモニウム塩、アルキルベンジルジメチルアンモニウム塩、アルキルピリジニウム塩の陽イオン性界面活性剤等が挙げられる。
また、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドアルキル３級アミン又はこれらの塩；パルミチン酸ジエタノールアミノプロピルアミド、ステアリン酸ジエタノールアミノプロピルアミド等が挙げられる。
【００６８】
［両性界面活性剤］
両性界面活性剤の例としては、アルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤等が挙げられる。
【００６９】
［（Ａ）及び（Ｂ）成分以外のポリマー］
（Ａ）及び（Ｂ）成分以外のポリマーとしては、下記一般式（ｅ−１）で表されるモノマーから誘導された繰り返し単位、及び下記一般式（ｅ−２）で表されるモノマーから誘導された繰り返し単位からなる群から選択される少なくとも１種の繰り返し単位を含むポリマー（以下、（Ｅ）成分ともいう）が挙げられる。（Ｅ）成分は、構造化剤の役割を果たす。液体洗剤が（Ｅ）成分を含有することで洗浄剤組成物が構造化する。よって、例えば液体洗剤が不溶粒子を含有する場合、液体洗剤中に不溶粒子を均一分散でき、その状態を維持できる。加えて、液体洗剤の保存安定性や再汚染防止性も高まる。
【００７０】
【化１３】
0006526334.tif 000015
［式（ｅ−１）中、Ｒ１１は水素原子又はメチル基であり、Ｒ１２は水素原子である。式（ｅ−２）中、Ｒ１３は水素原子又はメチル基であり、Ｒ１４は炭素数１〜４０のアルキル基である。］
【００７１】
一般式（ｅ−１）で表されるモノマーから誘導された繰り返し単位は、一般式（ｅ−１）で表されるモノマーを含むモノマー成分を重合したときに、一般式（ｅ−１）で表されるモノマーに由来する繰り返し単位である。
一般式（ｅ−１）で表されるモノマーとしては、例えば、アクリル酸、メタクリル酸が挙げられる。
これらの一般式（ｅ−１）で表されるモノマーは、いずれか１種を単独で用いてもよく、２種以上を併用してもよい。
前記式（ｅ−２）中、Ｒ１３は、水素原子又はメチル基であり、水素原子が好ましい。
前記式（ｅ−２）中、Ｒ１４におけるアルキル基は、直鎖状であっても分岐鎖状であってもよく、又は環状の構造を含んでいてもよい。
Ｒ１４におけるアルキル基の炭素数は、１〜４０であり、炭素数１〜２０が好ましく、炭素数１〜１０がより好ましい。
一般式（ｅ−２）で表されるモノマーから誘導された繰り返し単位は、一般式（ｅ−２）で表されるモノマーを含むモノマー成分を重合したときに、一般式（ｅ−２）で表されるモノマーに由来する繰り返し単位である。
一般式（ｅ−２）で表されるモノマーとしては、例えば、アクリル酸メチル、アクリル酸エチル、アクリル酸ｎ−プロピル、アクリル酸ｎ−ブチル、アクリル酸オクチル、アクリル酸デシル、アクリル酸ドデシル、アクリル酸イコシル等のアクリル酸エステル；、メタクリル酸メチル、メタクリル酸エチル、メタクリル酸ｎ−プロピル、メタクリル酸ｎ−ブチル、メタクリル酸デシル、メタクリル酸ドデシル、メタクリル酸イコシル等のメタクリル酸エステルが挙げられる。
これらの一般式（ｅ−２）で表されるモノマーは、いずれか１種を単独で用いてもよく、２種以上を併用してもよい。
（Ｅ）成分は、架橋されているものでもよく、架橋されていないものでもよいが、架橋されているものが好ましい。
（Ｅ）成分の架橋されているものとしては、例えば、架橋剤により架橋されているもの（高分子架橋体）が挙げられる。
前記の架橋剤としては、例えばアリルエーテル化合物が好適に挙げられる。
アリルエーテル化合物としては、アリルエーテル、糖のアリルエーテル、糖アルコールのアリルエーテル等が挙げられる。
糖のアリルエーテルにおける糖としては、例えばスクロース等が挙げられる。
糖アルコールのアリルエーテルにおける糖アルコールとしては、例えばペンタエリスリトール等が挙げられる。
（Ｅ）成分は、いずれか１種を単独で用いてもよく、２種以上を併用してもよい。
また、（Ｅ）成分は、一般式（ｅ−１）で表されるモノマーから誘導された繰り返し単位、及び一般式（ｅ−２）で表されるモノマーから誘導された繰り返し単位以外の繰り返し単位（他の繰り返し単位）を有していてもよい。
他の繰り返し単位としては、他のモノマーから誘導された繰り返し単位が挙げられる。
他のモノマーとしては、一般式（ｅ−１）で表されるモノマー及び一般式（ｅ−２）で表されるモノマーと共重合可能であれば特に制限されず、１種以上を用いることができる。
（Ｅ）成分の具体例としては、例えば以下の商品名が挙げられる。
架橋タイプの（Ｅ）成分の市販品としては、例えばＬｕｂｒｉｚｏｌ社製のアクリル酸アルキル、メタクリル酸アルキル、アクリル酸及びメタクリル酸から選ばれる２種類以上のモノマーからなる架橋型共重合体である商品名「Ｃａｒｂｏｐｏｌ  Ａｑｕａ３０」；Ｌｕｂｒｉｚｏｌ社製のアクリル酸アルキル（Ｃ１〜Ｃ４及びＣ８）、メタクリル酸アルキル（Ｃ１〜Ｃ４及びＣ８）、アクリル酸及びメタクリル酸から選ばれる２種類以上のモノマーからなる架橋型共重合体である「Ｃａｒｂｏｐｏｌ  Ａｑｕａ  ＳＦ−１」；Ｌｕｂｒｉｚｏｌ社製のアクリル酸アルキル（Ｃ１０〜Ｃ３０）、メタクリル酸アルキル（Ｃ１０〜Ｃ３０）及びアクリル酸から選ばれる２種類以上のモノマーからなる架橋型共重合体である商品名「Ｃａｒｂｏｐｏｌ  ＥＺ−４」；ＤＯＷ社製のアクリル酸アルキルと、アクリル酸又はメタクリル酸とからなる架橋型共重合体である商品名「ＡＣＵＳＯＬ  ８３０」等が挙げられる。  
非架橋タイプの（Ｅ）成分の市販品としては、例えばＬｕｂｒｉｚｏｌ社製のアクリル酸アルキル、メタクリル酸アルキル、アクリル酸及びメタクリル酸から選択される２種類以上のモノマーからなる共重合体である商品名「Ｎｏｖｅｔｈｉｘ  ＨＣ２００」等が挙げられる。
これらの（Ｅ）成分は、１種単独で用いられてもよいし、２種以上が組み合わされて用いられてもよい。
【００７２】
（Ｅ）成分の含有量は、洗浄剤組成物の総質量に対して、０．１〜５．０質量％が好ましく、０．５〜２．５質量％がより好ましい。（Ｅ）成分の含有量が、上記数値範囲内であると、液体洗剤の構造化ができる。
【００７３】
（Ａ）成分／（Ｅ）成分で表される質量比（以下、Ａ／Ｅ比ともいう）は、０．０５〜１．２５が好ましく、０．１〜１．２５がより好ましい。
Ａ／Ｅ比を上記範囲内とすることで、液体洗剤が十分に構造化され、保存安定性が高まる。
【００７４】
［有機溶媒］
本発明の洗浄剤組成物は、有機溶媒（以下、（Ｆ）成分ともいう）を含むことができる、例えば炭素数２〜４の一価アルコール、炭素数２〜４の多価アルコール及び下記式（ｆ−１）で表されるグリコールエーテル系溶剤、下記式（ｆ−２）で表される溶剤からなる群から選択される溶剤である。
Ｒ３１−（ＯＲ３２）ｍＯＨ  ・・・（ｆ−１）
［式中、Ｒ３１は炭素数１〜６のアルキル基又はフェニル基であり、Ｒ３２は炭素数２〜４のアルキレン基であり、ｍは平均付加モル数を表し１〜５である。］
ＣＨ３ＯＣＲ３３（ＣＨ３）ＣＨＲ３４ＣＨＲ３５ＯＲ３６  ・・・（ｆ−２）
［式中Ｒ３３〜Ｒ３５は、それぞれ独立に水素原子又は炭素数１〜３のアルキル基、Ｒ３６は水素原子又はアセチル基である。］
【００７５】
炭素数２〜４の１価アルコールとしては、たとえば、エタノール、１−プロパノール、２−プロパノール、１−ブタノール等が挙げられる。
炭素数２〜４の多価アルコールとしては、エチレングリコール、プロピレングリコール、ブチレングリコール、グリセリン等が挙げられる。
前記式（ｆ−１）で表されるグリコールエーテル系溶剤としては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
【００７６】
前記式（ｆ−２）で表される溶剤としては、３−メトキシメタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等が挙げられる。
これらのなかでも、液体洗剤としての流動性、臭気の穏やかな点や原料の入手のしやすさから、エタノール、プロピレングリコール、ジエチレングリコールモノブチルエーテル、３−メトキシ−３−メチルブタノールが好ましい。
これらの（Ｆ）成分は、１種単独で用いられてもよいし、２種以上が組み合わされて用いられてもよい。
【００７７】
（Ｆ）成分の含有量は、洗浄剤組成物の総質量に対して、３〜２５質量％が好ましい。
（Ｆ）成分の含有量が上記上限値以下であると、液体洗剤としての流動性と液安定性を付与しやすい。（Ｆ）成分の含有量が下限値以上であると、液体洗剤としての流動性と液安定性を付与しやすい。
【００７８】
［減粘剤及び可溶化剤］
減粘剤及び可溶化剤としては、トリエチレングリコール、テトラエチレングリコール、平均分子量約２００のポリエチレングリコール、平均分子量約４００のポリエチレングリコール、平均分子量約１０００のポリエチレングリコール、ジプロピレングリコールなどのグリコール類、パラトルエンスルホン酸、安息香酸塩、並びに尿素等が挙げられる。
本発明の洗浄剤組成物が減粘剤及び可溶化剤を含む場合、減粘剤及び可溶化剤の含有量は、洗浄剤組成物の総質量に対し、０．０１〜１５質量％が好ましい。
【００７９】
［金属イオン捕捉剤（キレート剤）］
金属イオン捕捉剤（キレート剤）としては、マロン酸、コハク酸、リンゴ酸、ジグリコール酸、酒石酸、クエン酸等が挙げられる。
本発明の洗浄剤組成物が金属イオン捕捉剤を含む場合、金属イオン捕捉剤の含有量は、洗浄剤組成物の総質量に対し、０．１〜２０質量％が好ましい。
【００８０】
［酸化防止剤］
酸化防止剤としては、ブチルヒドロキシトルエン、ジスチレン化クレゾール、亜硫酸ナトリウム、亜硫酸水素ナトリウム等が挙げられる。
本発明の洗浄剤組成物が酸化防止剤を含む場合、酸化防止剤の含有量は、洗浄剤組成物の総質量に対し、０．０１〜２質量％が好ましい。
【００８１】
［防腐剤］
防腐剤としては、ダウ・ケミカル社製「ケーソンＣＧ」（商品名）、ソー・ジャパン社製「アクチサイドＭＢＳ」（商品名）、クラリアント社製「ＮＩＰＡＣＩＤＥ  ＢＩＴ  
２０」（商品名）等が挙げられる。
【００８２】
［着色剤］
着色剤としては、例えばアシッドレッド１３８、Ｐｏｌａｒ  Ｒｅｄ  ＲＬＳ、アシッドイエロー２０３、アシッドブルー９、青色１号、青色２０５号、緑色３号、赤色１０６号、黄色２０３号、ターコイズＰ−ＧＲ（いずれも商品名）等の汎用の色素や顔料などが挙げられる。
本発明の洗浄剤組成物が着色剤を含む場合、着色剤の含有量は、洗浄剤組成物の総質量に対して、０．００００５〜０．００５質量％が好ましい。
【００８３】
［乳濁化剤］
乳濁化剤としては、例えばポリスチレンエマルション、ポリ酢酸ビニルエマルジョン等が挙げられ、通常、固形分３０〜５０質量％のエマルションなどが挙げられ、具体的にはポリスチレンエマルション（サイデン化学社製（商品名）サイビノールＲＰＸ−１９６  
ＰＥ−３、固形分４０質量％）などが挙げられる。
本発明の洗浄剤組成物が乳濁化剤を含む場合、乳濁化剤の含有量は、洗浄剤組成物の総質量に対して、０．０１〜０．５質量％が好ましい。
【００８４】
［香料］
香料としては、例えば特開２００２−１４６３９９号公報に記載の香料成分などが挙げられる。
本発明の洗浄剤組成物が香料を含む場合、香料の含有量は、洗浄剤組成物の総質量に対して、０．０１〜２質量％が好ましい。
【００８５】
［不溶粒子］
不溶粒子とは、液体洗剤を構成する成分に溶けにくい粒子のことである。
不溶粒子としては、具体的に、カプセル粒子、特有の製品審美性を付与するためのビーズや真珠光沢剤、ベントナイト、カルボキシメチルセルロース（ＣＭＣ）などが挙げられる。
【００８６】
カプセル粒子は、高分子化合物で形成されたカプセル壁によって有効成分が内包されたものである。
カプセル粒子は、公知の方法により製造でき、例えば、界面重合法、ｉｎ−ｓｉｔｕ重合法等が挙げられる。
カプセル壁を形成する高分子化合物としては、例えばポリアクリル酸系、ポリビニル系、ポリメタクリル酸系、メラミン系、ウレタン系等の合成高分子が挙げられる。これらは、いずれか１種を単独で用いてもよく、２種以上を併用してもよい。
有効成分としては、香料成分、日焼け止め成分（紫外線吸収剤、紫外線散乱剤等）などが挙げられる。
以下、高分子化合物で形成されたカプセル壁によって香料成分が内包されたカプセル粒子を「カプセル香料」ともいう。
カプセル香料の具体例としては、例えば以下に示すカプセル香料Ａ、カプセル香料Ｂ、カプセル香料Ｃなどが挙げられる。
【００８７】
カプセル香料Ａ：
カプセル香料Ａは、以下の香料成分を含む。
リモネン（０．１０質量％）、エチル２−メチルブチレート（３．５０質量％）、トリプラール（５．００質量％）、ガルバスコン（０．２０質量％）、スピロガルバノン（０．６０質量％）、シクラセット（９．００質量％）、シクラブート（０．１０質量％）、トリシクロデセニルアセテート（１９．００質量％）、ベルドックス（１８．００質量％）、ネクタリル（１５．００質量％）、テトラヒドロリナロール（１４．００質量％）、α−イオノン（０．５０質量％）、β−イオノン（１４．００質量％）、ジプロピレングリコール（１．００質量％）。
【００８８】
カプセル香料Ｂ：
カプセル香料Ｂは、以下の香料成分を含む。
トリプラール（２．４０質量％）、シクラセット（１０．００質量％）、トリシクロデセニルプロピオネート（１０．００質量％）、イソプロピルメチル−２−ブチレート（１．７０質量％）、マンザネート（２．００質量％）、ベルドックス（１４．００質量％）、アリルアミルグリコレート（２．００質量％）、アリルシクロヘキシルプロピオネート（５．００質量％）、γ−デカラクトン（０．５０質量％）、γ−ウンデカラクトン（７．５０質量％）、α−ダマスコン（０．２５質量％）、ネロール（０．２０質量％）、ヘディオン（５．００質量％）、リリアール（１２．００質量％）、リナロール（２３．００質量％）、ｐ−ｔ−ブチルシクロヘキシルアセテート（０．２０質量％）、バニリン（０．１０質量％）、ライムオキサイド（２．４０質量％）、ジプロピレングリコール（１．７５質量％）。
【００８９】
カプセル香料Ｃ：
カプセル香料Ｃは、以下の香料成分を含む。
ヘキシルサリチレート（３．７１質量％）、エチル２−メチルブチレート（３．３０質量％）、ジヒドロオイゲノール（８．４９質量％）、カンファー（１．４６質量％）、１，４−シネオール（１．２８質量％）、ベルドックス（９．０４質量％）、γ−ノナラクトン（０．８４質量％）、γ−デカラクトン（２．５８質量％）、γ−ウンデカラクトン（３．７０質量％）、アリルカプロエート（７．４７質量％）、ヘキシルアセテート（１．２７質量％）、ゲラニルプロピオネート（６．３８質量％）、プレニルアセテート（１．５２質量％）、アリルフェノキシアセテート（０．６０質量％）、ジメチルベンジルカルビニルブチレート（０．９５質量％）、ネクタリル（８．５４質量）、ゲラニルアセテート（１１．１３質量％）、リリアール（１１．５１質量％）、シクラメンアルデヒド（３．０５質量％）、アミルサリチレート（１．３９質量％）、イソイースーパー（１．０８質量％）、γ−メチルイオノン（１．３４質量％）、アンブロキサン（０．１３質量％）、ハバノライド（０．３７質量％）、アニスアルデヒド（８．４６質量％）、ライムオキサイド（０．４１質量％）。
本発明の洗浄剤組成物が不溶粒子を含む場合、不溶粒子の含有量は、洗浄剤組成物の総質量に対して、０．０１〜２０質量％が好ましい。
【００９０】
［天然物などのエキス］
天然物などのエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウなどの植物が挙げられる。
本発明の洗浄剤組成物が天然物などのエキスを含む場合、天然物などのエキスの含有量は、洗浄剤組成物の総質量に対し、０〜０．５質量％が好ましい。
【００９１】
これらの成分は、１種単独で用いられてもよいし、２種以上が組み合わされて用いられてもよい。
さらに、特開２０１７−８１３９号公報に記載の２−エチルヘキサン酸２−エチルヘキシル（イソオクチル酸２−エチルヘキシル）、２−エチルヘキサン酸２−エチルブチル、２−エチルヘキサン酸２−エチルオクチルなどの消泡効果を有する剤を含んでもよい。本発明の洗浄剤組成物がこれらの消泡効果を有する剤を含む場合、その含有量は、洗浄剤組成物の総質量に対し、０〜２．０質量％が好ましい。
洗浄剤組成物を構成する成分の合計量は１００質量％を超えない。
【００９２】
本発明の洗浄剤組成物は、２５℃におけるｐＨが４〜１０であることが好ましく、ｐＨが４〜９であることがより好ましく、ｐＨが４〜８であることがさらに好ましい。ｐＨがこのような範囲にあると、洗浄剤組成物の保存安定性を良好に維持できる。
洗浄剤組成物のｐＨは、必要に応じて、ｐＨ調整剤を添加することにより調整できる。
ｐＨ調整剤としては、本発明の効果を損なわない限りにおいて随意であるが、硫酸、水酸化ナトリウム、水酸化カリウム、アルカノールアミン等が好ましい。
なお、本明細書において、ｐＨは、測定対象を２５℃とし、ｐＨメーター（製品名：ＨＭ−３０Ｇ、東亜ディーケーケー株式会社製）により測定される値を意味する。
【００９３】
本発明の洗浄剤組成物は、（Ａ）成分、及び（Ｂ）成分を含有し、（Ａ）成分がジメチルジアリルアンモニウムとアクリルアミドとのコポリマーであり、（Ｂ）成分が式（ｂ−３）又は（ｂ−４）で表される化合物であることが好ましい。
本発明の洗浄剤組成物は、（Ａ）成分、及び（Ｂ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ａ）成分の含有量が、洗浄剤組成物の総質量に対して０．１〜５質量％であり、（Ｂ）成分の含有量が、洗浄剤組成物の総質量に対して０．１〜５質量％であることが好ましい。
【００９４】
本発明の洗浄剤組成物は、（Ａ）成分、（Ｂ）成分、及び（Ｃ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であることが好ましい。
本発明の洗浄剤組成物は、（Ａ）成分、（Ｂ）成分、及び（Ｃ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ａ）成分の含有量が、洗浄剤組成物の総質量に対して０．１〜５質量％であり、（Ｂ）成分の含有量が、洗浄剤組成物の総質量に対して０．１〜５質量％であり、（Ｃ）成分の含有量が、洗浄剤組成物の総質量に対し２〜２０質量％であることが好ましい。
【００９５】
本発明の洗浄剤組成物は、（Ａ）成分、（Ｂ）成分、（Ｃ）成分、及び（Ｄ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ｄ）成分が式（ｄ−１）又は（ｄ−２）で表される化合物であることが好ましい。
本発明の洗浄剤組成物は、（Ａ）成分、（Ｂ）成分、（Ｃ）成分、及び（Ｄ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ｄ）成分が式（ｄ−１）又は（ｄ−２）で表される化合物であり、（Ａ）成分の含有量が、洗浄剤組成物の総質量に対して０．１〜５質量％であり、（Ｂ）成分の含有量が、洗浄剤組成物の総質量に対して０．１〜５質量％であり、（Ｃ）成分の含有量が、洗浄剤組成物の総質量に対し２〜２０質量％であり、（Ｄ）成分の含有量が、洗浄剤組成物の総質量に対し１０〜５０質量％であることが好ましい。
【００９６】
本発明の洗浄剤組成物は、（Ａ）成分、（Ｂ）成分、（Ｃ）成分、（Ｄ）成分、及び（Ｅ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ｄ）成分が式（ｄ−１）又は（ｄ−２）で表される化合物であり、（Ｅ）成分がアクリル酸アルキル、メタクリル酸アルキル、アクリル酸、及びメタクリル酸からなる群から選択される２種類以上のモノマーから合成される架橋型共重合体であることが好ましい。
本発明の洗浄剤組成物は、（Ａ）成分、（Ｂ）成分、（Ｃ）成分、（Ｄ）成分、及び（Ｅ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ｄ）成分が式（ｄ−１）又は（ｄ−２）で表される化合物であり、（Ｅ）成分がアクリル酸アルキル、メタクリル酸アルキル、アクリル酸、及びメタクリル酸からなる群から選択される２種類以上のモノマーから合成される架橋型共重合体であり、（Ａ）成分の含有量が、洗浄剤組成物の総質量に対して０．１〜５質量％であり、（Ｂ）成分の含有量が、洗浄剤組成物の総質量に対して０．１〜５質量％であり、（Ｃ）成分の含有量が、洗浄剤組成物の総質量に対し２〜２０質量％であり、（Ｄ）成分の含有量が、洗浄剤組成物の総質量に対し１０〜５０質量％であり、（Ｅ）成分の含有量が、洗浄剤組成物の総質量に対し０．１〜５．０質量％であることが好ましい。
【００９７】
本発明の洗浄剤組成物は、（Ａ）成分、（Ｂ）成分、（Ｃ）成分、（Ｄ）成分、（Ｅ）成分、及び（Ｆ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ｄ）成分が式（ｄ−１）又は（ｄ−２）で表される化合物であり、（Ｅ）成分がアクリル酸アルキル、メタクリル酸アルキル、アクリル酸、及びメタクリル酸からなる群から選択される２種類以上のモノマーから合成される架橋型共重合体であり、（Ｆ）成分が炭素数２〜４の一価アルコール、若しくは式（ｆ−１）又は（ｆ−２）で表される有機溶媒であることが好ましい。
本発明の洗浄剤組成物は、（Ａ）成分、（Ｂ）成分、（Ｃ）成分、（Ｄ）成分、（Ｅ）成分、及び（Ｆ）成分を含有し、（Ａ）成分がジメチルジアリルアンモニウムとアクリルアミドとのコポリマーであり、（Ｂ）成分が式（ｂ−３）又は（ｂ−４）で表される化合物であり、（Ｃ）成分が直鎖アルキルベンゼンスルホン酸塩であり、（Ｄ）成分が式（ｄ−１）又は（ｄ−２）で表される化合物であり、（Ｅ）成分がアクリル酸アルキル、メタクリル酸アルキル、アクリル酸、及びメタクリル酸からなる群から選択される２種類以上のモノマーから合成される架橋型共重合体であり、（Ｆ）成分が炭素数２〜４の一価アルコール、若しくは式（ｆ−１）又は（ｆ−２）で表される有機溶媒であり、（Ａ）成分の含有量が、洗浄剤組成物の総質量に対して０．１〜５質量％であり、（Ｂ）成分の含有量が、洗浄剤組成物の総質量に対して０．１〜５質量％であり、（Ｃ）成分の含有量が、洗浄剤組成物の総質量に対し２〜２０質量％であり、（Ｄ）成分の含有量が、洗浄剤組成物の総質量に対し１０〜５０質量％であり、（Ｅ）成分の含有量が、洗浄剤組成物の総質量に対し０．１〜５．０質量％であり、（Ｆ）成分の含有量が、洗浄剤組成物の総質量に対し３〜２５質量％であることが好ましい。
【００９８】
本発明の洗浄剤組成物は、従来公知の洗剤の製造方法により製造される。
洗浄剤組成物が液体の場合は、例えば、溶媒である水に、（Ａ）〜（Ｂ）成分及び必要に応じて任意成分を加え、これを混合する方法が挙げられる。
洗浄剤組成物が粉状の場合は、例えば、各原料を粉体混合するドライブレンド法、粉体原料を流動させながら造粒する乾式造粒法、粉体原料を流動させながら液体バインダーを噴霧して造粒する撹拌造粒法、原料を捏和してこれを押出機で押し出す押出造粒法、原料を捏和してこれを粉砕する粉砕造粒法、原料を含有するスラリーを噴霧乾燥する噴霧乾燥法等が挙げられる。
【００９９】
本発明の洗浄剤組成物の使用方法としては、例えば、繊維製品の洗浄に用いる場合には、洗浄剤組成物を洗濯時に洗濯物と一緒に水に投入する方法、泥汚れや皮脂汚れに洗浄剤組成物を直接塗布する方法、洗浄剤組成物を予め水に溶かして衣類を浸漬する方法等が挙げられる。また、洗浄剤組成物を洗濯物に塗布後、適宜放置し、その後、通常の洗濯液を用いて通常の洗濯を行う方法も好ましい。
被洗物としては、例えば、衣類、布帛、シーツ、カーテン、絨毯等の繊維製品が挙げられる。
【実施例】
【０１００】
以下に実施例を用いて本発明をさらに詳しく説明するが、本発明はこれら実施例に限定されるものではない。【０１０１】
（使用原料）
＜（Ａ）成分＞
・Ａ−１：ジメチルジアリルアンモニウム・アクリルアミドコポリマー、商品名「Ｎｏｖｅｒｉｔｅ３００」、Ｌｕｂｒｉｚｏｌ社製。【０１０２】
＜（Ｂ）成分＞
・Ｂ−１：水溶性ポリマー、商品名「ＴｅｘＣａｒｅ  ＳＲＮ−１７０Ｃ」、クラリアントジャパン社製、質量平均分子量＝２０００〜３０００、ｐＨ（２０℃の５質量％水溶液）＝４、粘度（２０℃）＝３００ｍＰａ・ｓ、式（ｂ−４）で表されるポリマー。【０１０３】
＜任意成分＞
［（Ｃ）成分］
・Ｃ’−１：直鎖アルキル（炭素数１０〜１４）ベンゼンスルホン酸、商品名「ライポンＬＨ−２００」、平均分子量：３２２、ライオン株式会社製、系内ではモノエタノールアミンと塩を形成して直鎖アルキルベンゼンスルホン酸塩（Ｃ−１）として存在（平均分子量：３８３）。
［（Ｄ）成分］
・Ｄ−１：ポリオキシエチレンアルキルエーテル（天然アルコールＣＯ−１２７０（商品名、プロクターアンドギャンブル社製）に対して、平均１５モル相当のエチレンオキシドを付加したもの）。
・Ｄ−２：Ｃ１１Ｈ２３ＣＯ（ＯＣＨ２ＣＨ２）ｍＯＣＨ３とＣ１３Ｈ２７ＣＯ（ＯＣＨ２ＣＨ２）ｍＯＣＨ３との質量比で８／２の混合物、ｍ＝平均１５、ナロー率３３質量％、合成品。
［（Ｅ）成分］
・（Ｅ−１）アクリル酸アルキル、メタクリル酸アルキル、アクリル酸、及びメタクリル酸からなる群から選択される２種類以上のモノマーから合成される架橋型共重合体、商品名「Ｃａｒｂｏｐｏｌ  Ａｑｕａ３０」、Ｌｕｂｒｉｚｏｌ社製。
［（Ｆ）成分］
・Ｆ−１：エタノール、商品名「特定アルコール９５度合成」、日本アルコール販売株式会社製。
・Ｆ−２：ジエチレングルコールモノブチルエーテル、商品名「ブチルジグリコール」、日本乳化剤株式会社製。
・Ｆ−３：３−メトキシー３−メチルブタノール、商品名「ソルフィット」、株式会社クラレ製。
［共通成分ａ］
・ポリエチレングリコール：商品名「ＰＥＧ＃１０００−６０Ｌ」、ライオン株式会社製）・・・２質量％。
・ヤシ脂肪酸：日油株式会社製・・・４質量％。
・安息香酸ナトリウム：商品名「安息香酸ナトリウム」、東亜合成製・・・０．５質量％。
・クエン酸：商品名「液体クエン酸」、一方社油脂工業株式会社製・・・０．５質量％。
・ジブチルヒドロキシトルエン：商品名「ＳＵＭＩＬＺＥＲ  ＢＨＴ−Ｒ」、住友化学株式会社製・・・０．０５質量％。
・香料：特開２００９−１０８２４８記載の香料成分ａ・・・０．８質量％。
・カプセル香料：上記のカプセル香料Ａ・・・０．１質量％。
・緑３号（色素）：商品名「緑色３号」、癸巳化成（株）製・・・０．０００２質量％。
［共通成分ｂ］
・ポリエチレングリコール：商品名「ＰＥＧ＃１０００−６０Ｌ」、ライオン株式会社製）・・・２質量％。
・ヤシ脂肪酸：日油株式会社製・・・４質量％。
・安息香酸ナトリウム：商品名「安息香酸ナトリウム」、東亜合成製・・・０．５質量％。
・クエン酸：商品名「液体クエン酸」、一方社油脂工業株式会社製・・・０．５質量％。
・ジブチルヒドロキシトルエン：商品名「ＳＵＭＩＬＺＥＲ  ＢＨＴ−Ｒ」、住友化学株式会社製・・・０．０５質量％。
・香料：特開２００９−１０８２４８記載の香料成分ａ・・・０．８質量％。
・カプセル香料：上記のカプセル香料Ａ・・・０．１質量％。
・緑３号（色素）：商品名「緑色３号」、癸巳化成（株）製・・・０．０００２質量％。
・２−エチルヘキサン酸２−エチルヘキシル：商品名「イソオクチル酸２−エチルヘキシル」、ライオン・スペシャリティ・ケミカルズ株式会社製・・・０．８質量％
［ｐＨ調整剤］
・モノエタノールアミン：株式会社日本触媒製・・・ｐＨ７とする量。【０１０４】
＜洗浄剤組成物の調製＞
表１に示す組成の洗浄剤組成物を下記の手順で調製した。
５００ｍＬビーカーにポリエチレングリコール、（Ｃ）成分、（Ｄ）成分、（Ｆ）成分、ヤシ脂肪酸、ｐＨ調整剤（モノエタノールアミン）および水を入れ、マグネットスターラー（ＭＩＴＡＭＵＲＡ  ＫＯＧＹＯ  ＩＮＣ．製）で充分に攪拌した。続いて、その他の成分（Ａ）成分、（Ｅ）成分、安息香酸ナトリウム、クエン酸水を加えて攪拌し、２５℃でのｐＨが７付近であることを確認した後、（Ｂ）成分、色素、香料（ジブチルヒドロキシトルエンを予め溶解させておく）、カプセル香料を加えて、洗浄剤組成物を得た。
表１中、各成分の配合量の単位は「質量％」である。
表中、空欄の配合成分がある場合、その配合成分は配合されていない。
水の含有量「バランス」は、洗浄剤組成物全体で１００質量％とするのに必要な量である。
また、表中に、洗浄剤組成物中の（Ａ）成分および（Ｃ）成分の配合量の比（Ａ／Ｃ比）を併記する。
得られた洗浄剤組成物について、以下の評価を行った。その結果を表１に併記する。【０１０５】
＜ふんわりしたボリューム感の評価＞
全自動電気洗濯機（Ｈａｉｅｒ社製ＪＷ−Ｚ２３Ａ）に、フリース衣類（ユニクロ製フリースフルジップジャケット、ポリエステル１００％）１着及び、市販の綿タオル（綿１００％）を３枚を投入した（綿タオルの投入量は全布質量が約１ｋｇとなるように調整した）。そこに、洗浄剤組成物１２．５ｍＬを添加し、洗浄、すすぎ、脱水を順次行う洗浄操作を行った。洗浄時間、すすぎ、脱水、水量に関しては、一切調整せず、洗濯機の標準コース設定を使用した。洗濯終了後、上記のフリース衣類を乾燥させてから、その肌触りを洗濯前の衣類と比較（同じ衣類の新品）して、下記の基準で評価した。
≪判定基準≫
１点：対照布に比べて、ふんわりしていない非常によくない仕上がり感（全くボリューム感のない仕上がり）。
２点：対照布に比べて、ふんわりしていないよくない仕上がり感（ボリューム感のない仕上がり）。
３点：対照布に比べて、同じ程度の仕上がり感。
４点：対照布に比べて、ふんわりしたいい仕上がり感（ボリューム感のある仕上がり）。
５点：対照布に比べて、ふんわりした非常にいい仕上がり感（非常にボリューム感のある仕上がり）。
パネラー５人の採点結果の平均値から、下記基準により仕上がり感を評価した。
≪評価基準≫
◎：４点以上。
○：３．５点以上４点未満。
△：３点以上３．５点未満。
×：３点未満。【０１０６】
【表１】
0006526334.tif 000016
【０１０７】
表１に示す結果から、本発明を適用した実施例１〜１１の洗浄剤組成物は、ふんわりとしたボリュームのある触感を付与することができた。
一方、（Ａ）成分を含まない比較例１では、ふんわりとしたボリュームのある触感を付与することができなかった。
（Ｂ）成分を含まない比較例２では、ふんわりとしたボリュームのある触感を付与することができなかった。
以上の結果から、本発明を適用した洗浄剤組成物は、ふんわりとしたボリュームのある触感を付与できることが確認できた。
【産業上の利用可能性】
【０１０８】
本発明によれば、ふんわりとしたボリュームのある触感を付与できる洗浄剤組成物を提供することができる。